(57)【特許請求の範囲】
【請求項１】
次の（１）〜（６）の要件を満たす、リキッドタンクを備えたコンデンサ。
（１）  コンデンサとリキッドタンクとが、冷媒の流れ方向に関して上流側から下流側に向け、互いに直列に配置されている。
（２）  上記コンデンサは、互いに間隔をあけて配置された１対のヘッダパイプと、互いに間隔をあけて配置され、それぞれが上記１対のヘッダパイプ同士を連通する複数本の伝熱管と、隣り合う伝熱管同士の間に配置されたフィンとを備える。
（３）  上記１対のヘッダパイプのうちの一方のヘッダパイプの一端部側面には、吐出口を備えた接続ブロックが固定されており、上記コンデンサの下流端はこの吐出口に通じている。
（４）  上記リキッドタンクは、上端が塞がれたケースと、このケースの下端部に固定された、上記接続ブロックに対して着脱自在な取付ブロックと、この取付ブロックの一部側面に設けられ、この取付ブロックを上記接続ブロックに接続固定した状態で上記吐出口と連通する取り入れ口と、上記取付ブロックの他部側面に設けられた吐き出し口と、上記取り入れ口にその下端部を連通させ、その上端部を上記ケースの上部内側に開口させた冷媒移送管とを備える。
（５）  上記接続ブロックには水平方向に向いたねじ孔と、このねじ孔の方向とは異なる方向である上方に向いた支承面とが、上記取付ブロックには水平方向に向いた貫通孔と、この貫通孔の方向とは異なる方向である下方に向いた被支承面とが、それぞれ設けられており、この被支承面と上記支承面とを当接させた状態で、上記ねじ孔の外端開口と上記貫通孔の一端開口とが整合する。
（６）  上記接続ブロックと取付ブロックとは、上記被支承面と支承面とを当接させた状態で、上記貫通孔を他端開口から一端開口に挿通したボルトを上記ねじ孔に螺合し更に緊締する事により接合固定されている。
【発明の詳細な説明】
【０００１】
【発明の属する技術分野】
この発明に係るリキッドタンクを備えたコンデンサは、自動車用空調機を構成する蒸気圧縮式冷凍機のコンプレッサとエバポレータとの間に直列に組み込む。そして、コンプレッサで圧縮した冷媒を放熱し凝縮させた後、水分等の異物を除去してからエバポレータに送り出す。
【０００２】
【従来の技術】
自動車室内の冷房や除湿を行なう自動車用空調機には、蒸気圧縮式冷凍機が組み込まれている。図６は、特開平４−９５５２２号公報に記載された、蒸気圧縮式冷凍機の基本構成を示す回路図である。コンプレッサ１から吐出された高温・高圧のガス状冷媒は、コンデンサ２を通過する間に空気との間で熱交換を行なって温度低下し、凝縮液化する。この結果生じた液状の冷媒は、一度リキッドタンク３に溜められてから、膨張弁４を介してエバポレータ５に送られ、このエバポレータ５内で蒸発する。エバポレータ５の温度は、蒸発潜熱を奪われて低下する為、このエバポレータ５に空調用の空気を流通させれば、この空気の温度を低下させると同時に、この空気中に含まれる水蒸気を取り除く事ができる。エバポレータ５内で蒸発気化した冷媒は、上記コンプレッサ１に吸引されて圧縮され、再び上記サイクルを繰り返す。
【０００３】
この様な、自動車用空調機の蒸気圧縮式冷凍機を構成するリキッドタンク３は従来、コンデンサ２とは独立して造られたものを、このコンデンサ２とエバポレータ５とを結ぶ配管の途中に接続していた。ところが、この様にリキッドタンク３をコンデンサ２と別個に構成した場合、このリキッドタンク３の設置スペースが嵩むだけでなく、このリキッドタンク３を、上記コンデンサ２とは独立して、十分な耐振性を持たせて車体に取り付ける必要が生じる。
【０００４】
この様な面倒を解決する為に従来から、リキッドタンク３をコンデンサ２と一体に構成する構造が、特開平３−８７５７２号公報、同４−１０３９７３号公報、同４−１３１６６７号公報等に記載されている様に、各種提案されている。図７は、このうちの特開平４−１０３９７３号公報に記載された構造を示している。コンデンサ２は、互いに水平方向（図７の左右方向）に離隔してそれぞれ鉛直方向（図７の上下方向）に配置された１対のヘッダパイプ６ａ、６ｂを有する。これら１対のヘッダパイプ６ａ、６ｂの間には、複数の扁平伝熱管７、７を設けている。これら複数の扁平伝熱管７、７は、互いに鉛直方向に離隔してそれぞれ水平方向に配置されている。そして、これら各扁平伝熱管７、７の両端部は、それぞれ上記１対のヘッダパイプ６ａ、６ｂを気密且つ液密に貫通させて、それぞれの内側流路をこれら各ヘッダパイプ６ａ、６ｂの内側に連通させている。又、上下に隣り合う扁平伝熱管７、７同士の間には、金属薄板をジグザグに形成して成るコルゲート型のフィン８、８を挟持する事により、コア部９を構成している。このコア部９の上下両側には、それぞれサイドプレート１０、１１を設け、これら両サイドプレート１０、１１の両端部を、それぞれ上記ヘッダパイプ６ａ、６ｂの上下両端部側面に結合固定している。
【０００５】
この様に構成されるコンデンサ２は、上記コア部９部分で、上記各扁平伝熱管７、７内を流れる冷媒と各扁平伝熱管７、７外を流れる空気とを熱交換させ、上記冷媒を凝縮液化させる。即ち、一方（図７の右方）のヘッダパイプ６ａの上部に設けた入口管１２から送り込まれたガス状の冷媒は、このヘッダパイプ６ａと他方（図７の左方）のヘッダパイプ６ｂとの間を行き来しつつ、上記コア部９を構成する扁平伝熱管７、７内を流れ、その間に凝縮液化する。この結果生じた液状の冷媒は、上記一方のヘッダパイプ６ａの下端部に溜り、冷媒移送管１３からリキッドタンク３に送り込まれる。
【０００６】
一方、リキッドタンク３は、上記一方のヘッダパイプ６ａの側面に固定している。即ち、このリキッドタンク３を構成する円筒状のケース本体１４を上記ヘッダパイプ６ａの側面に、ろう付け等により固定している。このケース本体１４の下端開口は底板１５により、上端開口は上板１６により、それぞれ塞いでいる。上記底板１５には上記冷媒移送管１３を貫通させ、この冷媒移送管１３を上記ケース本体１４の中心部に挿入している。従って、この冷媒移送管１３の外周面と上記ケース本体１４の内周面との間には、円筒状の空間１８が形成される。又、上記冷媒移送管１３の上端部で上記ケース本体１４の上部に存在する部分には、多数の小孔１７、１７を形成し、上記ヘッダパイプ６ａからこの冷媒移送管１３内に送り込まれた液状の冷媒を吐出自在としている。又、上記空間１８の中間部には下側から順に、フェルト等の多孔質材により造られた、塵芥等の異物を捕集除去する為のフィルタ１９と、シリカゲル、塩化カルシウム等の乾燥剤２０と、金網、パンチングメタル等の多孔の抑え板２１とを、互いに直列に設けている。更に、上記ケース本体１４の下端部には出口管２２を設けて、上記空間１８の下端部に溜った液状の冷媒を取り出し自在としている。
【０００７】
上述の様に構成されるリキッドタンクを備えたコンデンサの使用時（リキッドタンクを備えたコンデンサを組み込んだ蒸気圧縮式冷凍機の運転時）には、図７に矢印で示す様に流れる冷媒が、コンデンサ２内で凝縮液化してからリキッドタンク３に送り込まれる。そして、このリキッドタンク３内で水分や異物を除去された、清浄な冷媒が、上記出口管２２から、エバポレータ５直前の膨張弁４（図６参照）に向けて送り出される。この様に構成され作用するリキッドタンクを備えたコンデンサは、コンデンサ２とリキッドタンク３とを一体的に取り扱える為、エンジンルーム内部の限られた空間への設置が容易になり、しかもコンデンサ２とリキッドタンク３との耐振性確保を独立して行なう必要がなくなるので、設置作業の容易化を図れる。
【０００８】
【発明が解決しようとする課題】
ところが、上述の様に構成され作用する従来のリキッドタンクを備えたコンデンサの場合には、リキッドタンク３を修理、交換する必要が生じた場合に、このリキッドタンク３のみを着脱する事ができない。即ち、リキッドタンク３のみに不具合が発生した場合でも、コンデンサ２ごと、車体から取り外す必要がある。この為、リキッドタンク３の修理、交換作業が面倒になり、修理費が嵩んでしまう。特開平３−８７５７２号公報に記載された発明の場合も同様である。
【０００９】
これに対して、前記特開平４−１３１６６７号公報には、コンデンサに対してリキッドタンクを着脱自在とする発明が記載されている。但し、この公報に記載された発明の場合には、ヘッダパイプに対してリキッドタンクを、上下２個所位置で支持結合する構造の為、支持結合作業が面倒になり、組立作業及び修理、交換作業が面倒になり、これらに要するコストが嵩んでしまう。本発明のリキッドタンクを備えたコンデンサは、この様な事情に鑑みて発明したものである。
【００１０】
【課題を解決するための手段】
本発明のリキッドタンクを備えたコンデンサは次の（１）〜（６）の要件を満たす。
（１）  コンデンサとリキッドタンクとが、冷媒の流れ方向に関して上流側から下流側に向け、互いに直列に配置されている。
（２）  上記コンデンサは、互いに間隔をあけて配置された１対のヘッダパイプと、互いに間隔をあけて配置され、それぞれが上記１対のヘッダパイプ同士を連通する複数本の伝熱管と、隣り合う伝熱管同士の間に配置されたフィンとを備える。
（３）  上記１対のヘッダパイプのうちの一方のヘッダパイプの一端部側面には、吐出口を備えた接続ブロックが固定されており、上記コンデンサの下流端はこの吐出口に通じている。
（４）  上記リキッドタンクは、上端が塞がれたケースと、このケースの下端部に固定された、上記接続ブロックに対して着脱自在な取付ブロックと、この取付ブロックの一部側面に設けられ、この取付ブロックを上記接続ブロックに接続固定した状態で上記吐出口と連通する取り入れ口と、上記取付ブロックの他部側面に設けられた吐き出し口と、上記取り入れ口にその下端部を連通させ、その上端部を上記ケースの上部内側に開口させた冷媒移送管とを備える。
（５）  上記接続ブロックには水平方向に向いたねじ孔と、このねじ孔の方向とは異なる方向である上方に向いた支承面とが、上記取付ブロックには水平方向に向いた貫通孔と、この貫通孔の方向とは異なる方向である下方に向いた被支承面とが、それぞれ設けられており、この被支承面と上記支承面とを当接させた状態で、上記ねじ孔の外端開口と上記貫通孔の一端開口とが整合する。
（６）  上記接続ブロックと取付ブロックとは、上記被支承面と支承面とを当接させた状態で、上記貫通孔を他端開口から一端開口に挿通したボルトを上記ねじ孔に螺合し更に緊締する事により接合固定されている。
【００１１】
【作用】
上述の様に構成される本発明のリキッドタンクを備えたコンデンサは、リキッドタンクをコンデンサに対して結合固定する際には、取付ブロックに設けた貫通孔を挿通したボルトを接続ブロックに設けたねじ孔に螺合緊締する。接続ブロックの支承面と取付ブロックの被支承面とを当接させた状態で上記ボルトをねじ孔に螺合緊締すれば、上記接続ブロックと取付ブロックとが不離に結合される。これと同時に、上記支承面と被支承面との係合により、上記取付ブロックがボルトを中心に回動する事を防止できる。従って、１本のボルトを緊締するのみで、コンデンサに対するリキッドタンクの変位を確実に防止できる。修理、交換等の為にリキッドタンクをコンデンサから取り外す場合には、上記ボルトを緩め、このボルトの先端部を上記ねじ孔から抜き出す。この結果、上記取付ブロックを上記接続ブロックから分離し、コンデンサをそのままにして、リキッドタンクのみを修理或は交換する事ができる。
【００１２】
【発明の実施の形態】
図１〜２は本発明の実施の形態の第１例として、本発明を、１対のヘッダパイプ同士の間で冷媒が水平方向に流れる、所謂横流れ式のコンデンサに適用した例を示している。本発明のリキッドタンクを備えたコンデンサは、図１に略示する様に、コンデンサ２３とリキッドタンク２４とを、同図に矢印で示す冷媒の流れ方向に関して、上流側から下流側に向け互いに直列に配置して成る。そして、上記リキッドタンク２４は、コンデンサ２３の側方に設けている。
【００１３】
上記コンデンサ２３は、互いに間隔をあけて配置された左右１対のヘッダパイプ２５ａ、２５ｂを含んで構成している。これら各ヘッダパイプ２５ａ、２５ｂの内側には、それぞれ隔壁２６ａ、２６ｂを設けて、各ヘッダパイプ２５ａ、２５ｂの内側中間部を、気密・液密を保持した状態で仕切っている。一方（図１の右方）のヘッダパイプ２５ａに設けた隔壁２６ａの高さ位置と他方（図１の左方）のヘッダパイプ２５ｂに設けた隔壁２６ｂの高さ位置とは、互いに異ならせている。そして、上記左右１対のヘッダパイプ２５ａ、２５ｂの内側面同士の間には、それぞれが扁平に形成された、複数本の伝熱管２７、２７（図２参照）を設けている。各伝熱管２７、２７の両端部は、それぞれ上記各ヘッダパイプ２５ａ、２５ｂの内側壁（互いに対向する側の壁部）を、気密・液密を保持した状態で貫通している。又、これら伝熱管２７、２７は、上下に間隔をあけた状態で互いに平行に配置しており、上下に隣り合う伝熱管２７、２７同士の間には、コルゲート型のフィン２８、２８（図２参照）を設けている。尚、これら複数の伝熱管２７、２７とフィン２８、２８とで構成されるコア部２９の上下両端部には、前述の図７に示した従来構造と同様に、サイドプレート１０、１１（図７参照。図１には省略。図２には下端部のサイドプレート１１の端部のみ記載。）を設けている。
【００１４】
又、一方のヘッダパイプ２５ａの下部で上記隔壁２６ａよりも下側部分の外側面には接続ブロック３０を、他方のヘッダパイプ２５ｂの上部で上記隔壁２６ｂよりも上側部分の外側面には入口ブロック３１を、それぞれ固定している。このうちの接続ブロック３０は、上記ヘッダパイプ２５ａを含むコンデンサ２３と同様に、アルミニウム合金により造っている。この接続ブロック３０は、全体を太Ｌ字形に形成しており、幅広側を下にした状態で、上記ヘッダパイプ２５ａの下部外側面（コア部２９と反対側の面）にろう付け固定している。
【００１５】
この接続ブロック３０の上部外側面には、吐出口３２を開口させている。この吐出口３２は、上記接続ブロック３０の上部と上記ヘッダパイプ２５ａの下部外壁部とを貫通して、このヘッダパイプ２５ａの下部内側に通じている。又、上部に比較して幅広に形成された上記接続ブロック３０の下部先半部で、幅が狭い上部外側面よりも外方に突出した部分の上面には、平坦な支承面３３を設けている。更に、上記接続ブロック３０の下部外側面には、水平方向に向いたねじ孔３４を開口させている。上記吐出口３２とは異なり、このねじ孔３４は、上記ヘッダパイプ２５ａ内には通じていない。即ち、上記ヘッダパイプ２５ａの一部で上記ねじ孔３４に整合する部分には、特に通孔等は形成していない。
【００１６】
一方、前記リキッドタンク２４は、上端を塞がれた円筒状のケース３５と、このケース３５の下端部に固定された取付ブロック３６とを備える。この取付ブロック３６は、上記接続ブロック３０に対して着脱自在としている。この為にこの取付ブロック３６は、上記ケース３５の下端開口を塞ぐ蓋板部３７の下面に、上記接続ブロック３０に対して連結自在な結合部３８を設けている。この結合部３８は全体を倒立太Ｌ字形に形成されており、幅広側を上にした状態で、上記蓋板部３７の下側に、この蓋板部３７と一体に設けている。
【００１７】
この結合部３８の上部内側面には取り入れ口３９を、この上部内側面から突出した状態で設けている。この取り入れ口３９は、上記取付ブロック３６を構成する結合部３８を上記接続ブロック３０に接続固定した状態で、この接続ブロック３０に形成した吐出口３２と連通する。上記取り入れ口３９の先端部外周面にはＯリング４０を、全周に亙って係止している。上記取り入れ口３９と吐出口３２とを連通させた状態でこのＯリング４０の外周縁は、吐出口３２の内周面に弾性的に当接し、これら取り入れ口３９と吐出口３２との連通部のシール性を確保する。
【００１８】
上記取付ブロック３６を構成する結合部３８の下部には、水平方向に向いた貫通孔４１を形成している。又、上記結合部３８を構成する幅広の上部で、幅の狭い上記下部よりも内方に突出した部分の下面には、平坦な被支承面４２を設けている。上記接続ブロック３０に設けたねじ孔３４の外端（図１、２の右端）開口と上記貫通孔４１の一端開口とは、この被支承面４２と上記接続ブロック３０の支承面３３とを当接させた状態で、互いに整合する。上記接続ブロック３０と取付ブロック３６とを結合するには、上記被支承面４２と支承面３３とを当接させると共に、上記取り入れ口３９を上記吐出口３２に挿入した状態で、上記貫通孔４１にボルト４３を、他端（図１、２の右端）開口から上記一端開口に向けて挿通する。そしてこのボルト４３の先端部を上記ねじ孔３４に螺合し更に緊締する。
【００１９】
又、上記取り入れ口３９の上端は、上記蓋板部３７の上面に開口しており、この開口部に冷媒移送管１３の下端部を連結している。この冷媒移送管１３の上端部は、上記ケース３５の上部内側に開口している。従って、上記吐出口３２から取り入れ口３９を通じて冷媒移送管１３内に送り込まれた液状冷媒は、この冷媒移送管１３の上端開口から上記ケース３５の上部内側に吐出される。このケース３５の中間部には、前述の図７に示した従来構造と同様に、フィルタ１９、乾燥剤２０、抑え板２１等を設けて、冷媒中に混入した水分や異物を除去する様にしている。従って、上記ケース３５の上部に送り込まれた冷媒は、水分等の異物を除去されてから、このケース３５の底部に流下する。
【００２０】
更に、上記取付ブロック３６を構成する蓋板部３７の上面で前記取り入れ口３９の上端開口から外れた部分には、出口ポート４４の上端を開口させている。そして、この出口ポート４４の下端を、上記取付ブロック３６を構成する結合部３８の上部外側面に開口させている。従って、上記ケース３５の底部に流下した清浄な液状冷媒は、上記出口ポート４４を通じて、リキッドタンク３外に取り出される。上記出口ポート４４の下端開口が請求項に於ける吐き出し口である。
【００２１】
上述の様に構成される本発明のリキッドタンクを備えたコンデンサを蒸気圧縮式冷凍機に組み込む場合には、前記入口ブロック３１に設けた入口ポートにコンプレッサ１（図６）に通じる冷媒配管の下流端を、上記取付ブロック３６に設けた出口ポート４４にエバポレータ５（図６）に通じる冷媒配管の上流端を、それぞれ接続する。例えば、上記清浄な液状冷媒をリキッドタンク２４外に取り出す為には、図２に示す様に（図１には省略）、取付ブロック３６の外側面に連結ブロック４５を連結固定する。この連結ブロック４５は、上記貫通孔４１に整合する貫通孔４６を備え、上記吐出ポート４４の下端開口に整合する位置に、膨張弁４（図６）に通じる配管４７を接続している。連結ブロック４５を介して上記配管４７を上記取付ブロック３６に接続するには、前記ボルト４３を貫通孔４６、４１に挿通し、更に上記ねじ孔３４に螺合、緊締する。この状態でコンプレッサ１を運転すると、本発明のリキッドタンクを備えたコンデンサは、コンプレッサ１から吐出された冷媒を凝縮してから、エバポレータ５に送り出す。
【００２２】
上記入口ブロック３１に設けた入口ポートからコンデンサ２３に送り込まれた冷媒ガスは、このコンデンサ２３を構成する複数本の伝熱管２７、２７を、１対のヘッダパイプ２５ａ、２５ｂ同士の間を折り返しつつ流れる間に、これら各伝熱管２７、２７及びフィン２８、２８の間を通過する空気との間で熱交換を行なって凝縮液化する。この結果生じた液状冷媒は、前記接続ブロック３０に設けた吐出口３２から、前記リキッドタンク３を構成する取付ブロック３６に設けた取り入れ口３９に送り込まれる。この様に取り入れ口３９に送り込まれた液状冷媒は、前記冷媒移送管１３を通じて上記ケース３５の上部に送られてから、このケース３５の内側を流下する。そして、流下する間に前記フィルタ１９及び乾燥剤２０により、冷媒中に混入した水分や異物を除去されてから、前記吐出ポート４４を通じて、上記エバポレータ５に向けて送り出される。
【００２３】
リキッドタンク２４を修理或は交換する必要が生じた場合には、前記ボルト４３を取り外す事により、上記リキッドタンク２４の下端部に設けた取付ブロック３６を、前記一方のヘッダ２５ａの下部外側面に固定した接続ブロック３０から取り外す。この結果、コンデンサ２３をそのままにして、リキッドタンク２４のみを修理或は交換する事ができる。
【００２４】
特に、本発明のリキッドタンクを備えたコンデンサの場合には、リキッドタンク２４側に固定の取付ブロック３６に設けた被支承面４２を、コンデンサ２３側に固定の接続ブロック３０に設けた支承面３３に当接させている。従って、上記リキッドタンク２４の重量をコンデンサ２３に支承させる事ができて、このコンデンサ２３を車体に支持する事により、上記リキッドタンク２４の重量も車体に対して確実に支承できる。この為、上記接続ブロック３０と取付ブロック３６との支持結合のみでも、コンデンサ２３に対するリキッドタンク２４の支持を確実に行なえる。
【００２５】
尚、上述した第１例に於いては、接続ブロック３０及び取付ブロック３６を、共に太Ｌ字形としているが、これら両ブロック３０、３６はこの様な形状に限定されるものではない。例えば、図３に示す第２例、或は図４に示す第３例の様な形状とする事もできる。このうちの第２例の場合、接続ブロック３０ａは、その上面４８を平坦面とした略直方体状とする。一方、取付ブロック３６ａは、その上端部に上記上面４８に向けて突出する庇部４９を設けている。そして、この庇部４９の下面５０を、上記上面４８と当接する平坦面としている。取付ブロック３６ａの内側面で庇部４９よりも下側部分は、上記接続ブラケット３０ａの外側面と当接する平坦面である。上記下面５０が被支承面であり、上記上面４８が支承面である。又、第３例の場合には、接続ブロック３０ｂを横凸形状に、取付ブロック３６ｂを横凹形状に、それぞれ形成している。この第３例の場合、吐出口３２は上端部外側面に設け、ねじ孔３４は最も突出した中間部分に設けている。この最も突出した中間部分の上面５１が支承面である。又、取付ブラケット３６ｂの凹んだ部分の上面５２が被支承面である。
【００２６】
次に、図５は、本発明の実施の形態の第４例として、本発明を、１対のヘッダパイプ同士の間で冷媒が上下方向に流れる、所謂縦流れ式のコンデンサに適用した例を示している。更に、本例の場合には、リキッドタンク２４ａの下流側に、コンデンサ２３ａと一体に構成されたサブコンデンサ５３を、冷媒の流れ方向に関して、これらコンデンサ２３ａ及びリキッドタンク２４ａに対し直列に設けている。上記コンデンサ２３ａ及びサブコンデンサ５３はそれぞれ、互いに間隔をあけて配置された上下１対のヘッダパイプ２５ａ´、２５ｂ´を含んで構成される。各ヘッダパイプ２５ａ´、２５ｂ´の一端寄り部分（図５の左寄り部分）の内側には、それぞれ隔壁（図示省略）を設けて、各ヘッダパイプ２５ａ´、２５ｂ´の一端部（図５の左端部）内側を、気密・液密を保持した状態で仕切っている。そして、上記１対のヘッダパイプ２５ａ´、２５ｂ´の一部で上記各隔壁よりも他端寄り部分（図５の右寄り部分）により上記コンデンサ２３ａを構成し、これら１対のヘッダパイプ２５ａ´、２５ｂ´の残部で上記各隔壁よりも一端寄り部分により上記サブコンデンサ５３を構成している。又、これらコンデンサ２３ａ及びサブコンデンサ５３を構成する伝熱管２７ａ、２７ａ及びサブ伝熱管（図示省略）は、上記１対のヘッダパイプ２５ａ´、２５ｂ´同士の間に、水平方向に隣り合う伝熱管２７ａ、２７ａ及びサブ伝熱管同士の間にフィン２８ａ、２８ａを挟持した状態で、上下方向に配設している。又、これら伝熱管２７ａ、２７ａ、サブ伝熱管及びフィン２８ａ、２８ａから成るコア部２９ａの左右両端縁部には、それぞれサイドプレート１０ａ、１１ａを設けている。
【００２７】
そして、一方（図５の下方）のヘッダパイプ２５ａ´の一端部前側面に接続ブロック３０ｃを、他方（図５の上方）のヘッダパイプ２６ｂ´の他端部上側面には入口ブロック３１ａを、それぞれろう付け固定している。このうちの接続ブロック３０ｃは、上記一方のヘッダパイプ２５ａ´の中央寄り（図５の右寄り）に存在する吐出口と、同じく一端寄り（図５の左寄り）に存在する送り込み口とを備えている。そして、このうちの吐出口が、上記隔壁よりも上記ヘッダ２５ａ´の中央寄り部分で、このヘッダパイプ２５ａ´の一部内側に通じている。又、上記送り込み口は、上記隔壁よりも上記ヘッダ２５ａ´の一端寄り部分で、このヘッダパイプ２５ａ´の残部内側に通じている。又、本例の場合には、上記接続ブロック３０ｃの上面４８ａ全体を平坦にし、この上面４８ａの一部が支承面として機能する様にしている。更に、上記入口ブロック３１ａには入口ポート５４を設けており、この入口ポート５４を、上記他方のヘッダパイプ２５ｂ´の他端部内側に通じさせている。上記入口ポート５４から送り込まれた冷媒は、図５に矢印で示す様に、上記１対のヘッダパイプ２５ａ´、２５ｂ´の間部分を折り返しつつ流れ、上記吐出口に達する。即ち、上記入口ポート５４がコンデンサ２３ａの上流端開口に、吐出口が下流端開口に、それぞれ相当する。又、上記送り込み口は、サブコンデンサ５３の上流端開口に相当する。
【００２８】
又、冷媒の流れ方向に関して、上記コンデンサ２３ａとサブコンデンサ５３との間に直列に接続されるリキッドタンク２４ａを構成するケース３５ａの下端部には、取付ブロック３６ｃを固定している。この取付ブロック３６ｃは、上記接続ブロック３０ｃに対して着脱自在としている。又、この取付ブロック３６ｃの上半部は上記一方のヘッダパイプ２５ａ´側に突出させると共に、この突出した部分の下面を上記上面４８ａと密に当接する、平坦な被支承面４２ａとしている。そして、これら上面４８ａと被支承面４２ａとを当接させた状態で、この取付ブロック３６ｃの下半中央部に挿通したボルト４３ａを、上記取付ブロック３６ｃの一部で上記吐出口と送り込み口との間部分に形成したねじ孔に螺合し更に緊締する事により、上記取付ブロック３６ｃを上記接続ブロック３０ｃに接合固定自在としている。この状態で上記リキッドタンク２４ａの重量は、上記接続ブロック３０ｃにより支承される。尚、この接続ブロック３０ｃに設けた吐出口と送り込み口とが水平方向に配置されている事に合わせて、上記取付ブロック３６ｃの取り入れ口及び吐き出し口（図示省略）も水平方向に配置している。
【００２９】
更に、前記他方のヘッダパイプ２５ｂ´の一端部上側面には、出口ポート４４ａを備えた出口ブロック５５を固定している。この出口ポート４４ａは、上記他方のヘッダパイプ２５ｂ´の一端部内側に通じている。上記リキッドタンク２４ａを通過した冷媒は、上記サブコンデンサ５３内を図５に矢印で示す様に、下側のヘッダパイプ２５ａ´から上側のヘッダパイプ２５ｂ´に向けて流れ、上記他方のヘッダパイプ２５ｂ´の一端部内側に達する。そして、この冷媒は、上記出口ポート４４ａから吐出され、膨張弁４を経て、エバポレータ５（図６参照）に送られる。この様に、１対のヘッダパイプ２５ａ´、２５ｂ´を上下に配置し、これら両ヘッダパイプ２５ａ´、２５ｂ´同士の間に冷媒を、縦方向に流す構造にも、本発明は適用可能である。尚、図５の構造で、サブコンデンサ５３を省略し、リキッドタンク２４ａから吐出された冷媒を、直接上記膨張弁４に送る様に構成する事もできる。
【００３０】
【発明の効果】
本発明のリキッドタンクを備えたコンデンサは、以上に述べた通り構成され作用するので、
（１）  従来構造と同様に、コンデンサとリキッドタンクとを一体的に取り扱える為、エンジンルーム内部の限られた空間への設置が容易になり、しかもコンデンサとリキッドタンクとの耐振性確保を独立して行なう必要がなくなるので、設置作業の容易化を図れる。
（２）  上記（１）の効果をそのまま確保しつつ、リキッドタンクが故障した場合に、コンデンサを着脱する事なく、リキッドタンクのみを着脱する事が可能になる為、修理に要する時間の短縮及び費用の低廉化を図れる。
（３）  しかも、リキッドタンクの着脱を、１本のボルトを操作するのみで行なえる為、着脱作業が容易で組立、分解、修理が容易となり、これらに要するコストの低減を図れる。
と言った、優れた効果を発揮する。
【図面の簡単な説明】
【図１】  本発明の実施の形態の第１例を、コンデンサからリキッドタンクを取り外した状態で示す略斜視図。
【図２】  図１のＡ部拡大図。
【図３】  本発明の実施の形態の第２例を示す、図１のＡ部に相当する図。
【図４】  同第３例を示す、図１のＡ部に相当する図。
【図５】  同第４例を示す、略斜視図。
【図６】  コンデンサ及びリキッドタンクが組み込まれる蒸気圧縮式冷凍機の回路図。
【図７】  従来のリキッドタンクを備えたコンデンサの１例を示す部分縦断正面図。
【符号の説明】
１  コンプレッサ
２  コンデンサ
３  リキッドタンク
４  膨張弁
５  エバポレータ
６ａ、６ｂ  ヘッダパイプ
７  扁平伝熱管
８  フィン
９  コア部
１０、１０ａ、１１、１１ａ  サイドプレート
１２  入口管
１３  冷媒移送管
１４  ケース本体
１５  底板
１６  上板
１７  小孔
１８  空間
１９  フィルタ
２０  乾燥剤
２１  抑え板
２２  出口管
２３、２３ａ  コンデンサ
２４、２４ａ  リキッドタンク
２５ａ、２５ｂ、２５ａ´、２５ｂ´  ヘッダパイプ
２６ａ、２６ｂ  隔壁
２７、２７ａ  伝熱管
２８、２８ａ  フィン
２９、２９ａ  コア部
３０、３０ａ、３０ｂ、３０ｃ  接続ブロック
３１、３１ａ  入口ブロック
３２  吐出口
３３  支承面
３４  ねじ孔
３５、３５ａ  ケース
３６、３６ａ、３６ｂ  取付ブロック
３７  蓋板部
３８  結合部
３９  取り入れ口
４０  Ｏリング
４１  貫通孔
４２、４２ａ  被支承面
４３、４３ａ  ボルト
４４、４４ａ  出口ポート
４５  連結ブロック
４６  貫通孔
４７  配管
４８、４８ａ  上面
４９  庇部
５０  下面
５１、５２  上面
５３  サブコンデンサ
５４  入口ポート
５５  出口ブロック
【図１】
0003642636.tif 000002
【図２】
0003642636.tif 000003
【図３】
0003642636.tif 000004
【図４】
0003642636.tif 000005
【図５】
0003642636.tif 000006
【図６】
0003642636.tif 000007
【図７】
0003642636.tif 000008